(57)【要約】【課題】情報画像に関して高い視認性と表示処理速度の向上を両立させる表示制御装置の提供。【解決手段】表示制御装置１０のメモリ部１００には、情報画像５４の情報画素領域５４０と背景画素領域５４１とについての第一階調と第二階調とを定義するマトリクスデータが予め記憶される。表示制御装置１０は、マトリクスデータにより定義される第一階調及び第二階調に基づき、それら階調の間となる中間階調を設定すると共に、マトリクスデータから情報画素領域５４０を抽出する。さらに表示制御装置１０は、背景画素領域５４１の各構成画素のうち、先に抽出の情報画素領域５４０の輪郭線５４２に対して水平方向Ｘに隣接する画素全て５４１ａ，５４１ｂについての第二階調を、先に設定の中間階調に置換し、当該置換後のマトリクスデータに基づき情報画像５４の表示を指令するための制御指令信号を、表示器５０へ出力する。【選択図】図３
2010217422.tif 000002
【特許請求の範囲】
【請求項１】
２次元方向に並ぶ複数画素の階調を定義するマトリクスデータに基づき、所定情報を表す第一階調の情報画素領域が当該第一階調と異なる第二階調の背景画素領域に囲まれてなる情報画像を、車両の表示器により表示させるための表示制御装置であって、
前記第一階調及び前記第二階調を定義する前記マトリクスデータが予め記憶される記憶手段と、
前記記憶手段に記憶の前記マトリクスデータにより定義される前記第一階調及び前記第二階調に基づき、それら階調の間となる中間階調を設定する設定手段と、
前記記憶手段に記憶の前記マトリクスデータから前記情報画素領域を抽出する抽出手段と、
前記記憶手段に記憶の前記マトリクスデータにおいて前記背景画素領域を構成する各画素のうち、前記抽出手段により抽出された前記情報画素領域の輪郭線に対して特定方向に隣接する画素全てについての前記第二階調を、前記設定手段により設定の前記中間階調に置換する置換手段と、
前記置換手段による階調置換後の前記マトリクスデータに基づき前記情報画像の表示を指令するための制御指令信号を、前記表示器へ出力する指令手段と、
を備えることを特徴とする表示制御装置。
【請求項２】
前記設定手段は、前記第一階調及び前記第二階調に対する所定の論理演算の結果がそれぞれ前記第一階調及び前記中間階調となる前記中間階調を設定し、
前記置換手段は、前記記憶手段に記憶の前記マトリクスデータを前記抽出手段が前記特定方向へ往走査することにより抽出した前記情報画素領域を構成する各画素に対して前記特定方向の当該往走査側に隣接する画素全てについての階調と、前記記憶手段に記憶の前記マトリクスデータを前記抽出手段が前記特定方向の前記往走査とは反対側へ復走査することにより抽出した前記情報画素領域を構成する各画素に対して前記特定方向の当該復走査側に隣接する画素全てについての階調とを、前記設定手段により設定された前記中間階調との前記論理演算の結果に置換することを特徴とする請求項１に記載の表示制御装置。
【請求項３】
前記設定手段は、前記中間階調を前記第一階調及び前記第二階調の間に複数設定し、
前記置換手段は、前記情報画素領域を構成する各画素に対して前記往走査側に隣接する画素全てについての階調を対象とした前記論理演算に供する前記中間階調と、前記情報画素領域を構成する各画素に対して前記復走査側に隣接する画素全てについての階調を対象とした前記論理演算に供する前記中間階調とを、前記設定手段により設定された複数の前記中間階調の中から選択することを特徴とする請求項２に記載の表示制御装置。
【請求項４】
前記置換手段は、前記情報画素領域を構成する各画素に対して前記往走査側に隣接する画素全てについての階調を対象とした前記論理演算に供する前記中間階調と、前記情報画素領域を構成する各画素に対して前記復走査側に隣接する画素全てについての階調を対象とした前記論理演算に供する前記中間階調とを、相異ならせることを特徴とする請求項３に記載の表示制御装置。
【請求項５】
前記記憶手段には、前記第一階調及び前記第二階調を定義する２値表現の前記マトリクスデータが予め記憶されることを特徴とする請求項１〜４のいずれか一項に記載の表示制御装置。
【請求項６】
前記指令手段は、前記置換手段による階調置換後の前記マトリクスデータに基づき、前記情報画像を車両のフロントウインドシールドへ投射して虚像表示する前記表示器に対して、前記制御指令信号を出力することを特徴とする請求項１〜５のいずれか一項に記載の表示制御装置。
【発明の詳細な説明】
【技術分野】
【０００１】
本発明は、車両の表示器により情報画像を表示させるための表示制御装置に関する。
【背景技術】
【０００２】
従来、２次元方向に並ぶ複数画素の階調を定義するマトリクスデータに基づき、所定情報を表す第一階調の情報画素領域が当該第一階調と異なる第二階調の背景画素領域に囲まれてなる情報画像を、車両の表示器により表示させるための表示制御装置が知られている。
【０００３】
このような表示制御装置では、例えば情報画素領域についての第一階調及び背景画素領域についての第二階調を２値表現により定義する簡素なマトリクスデータに基づき、情報画像を表示させることで、情報画像の表示処理速度の向上を図り得る。一方で、第二階調の背景画素領域に隣接する第一階調の情報画素領域については、２次元方向の各々に対して傾斜する輪郭線にジャギー（階段状のギザギザ）が目立ち易く、特に情報画像を車両のフロントウインドシールドへ投射して虚像表示する構成では、その傾向が強くなる。そこで、情報画素領域の輪郭線におけるジャギーを緩和して車両の乗員による情報画像の視認性を高めるため、例えば特許文献１のようにフィルタを用いて注目画素の階調を周辺画素の階調によって平滑化する技術を、当該輪郭線の近傍画素に適用することが考えられる。
【先行技術文献】
【特許文献】
【０００４】
【特許文献１】特開平９−１０１７６６号公報
【発明の概要】
【発明が解決しようとする課題】
【０００５】
しかし、特許文献１のようなフィルタによる平滑化技術を情報画素領域の輪郭線の近傍画素に適用する場合、ジャギーは緩和されるものの、当該平滑化技術では複雑な演算処理を伴うことに起因して、情報画像の表示処理速度の低下を招いてしまう。
【０００６】
本発明は、こうした問題に鑑みてなされたものであって、その目的は、情報画像に関して車両の乗員による高い視認性と表示処理速度の向上とを両立させる表示制御装置を提供することにある。
【課題を解決するための手段】
【０００７】
請求項１に記載の発明は、２次元方向に並ぶ複数画素の階調を定義するマトリクスデータに基づき、所定情報を表す第一階調の情報画素領域が当該第一階調と異なる第二階調の背景画素領域に囲まれてなる情報画像を、車両の表示器により表示させるための表示制御装置であって、第一階調及び第二階調を定義するマトリクスデータが予め記憶される記憶手段と、記憶手段に記憶のマトリクスデータにより定義される第一階調及び第二階調に基づき、それら階調の間となる中間階調を設定する設定手段と、記憶手段に記憶のマトリクスデータから情報画素領域を抽出する抽出手段と、記憶手段に記憶のマトリクスデータにおいて背景画素領域を構成する各画素のうち、抽出手段により抽出された情報画素領域の輪郭線に対して特定方向に隣接する画素全てについての第二階調を、設定手段により設定の中間階調に置換する置換手段と、置換手段による階調置換後のマトリクスデータに基づき情報画像の表示を指令するための制御指令信号を、表示器へ出力する指令手段と、を備える。
【０００８】
請求項１に記載の発明では、情報画像の情報画素領域についての第一階調及び同情報画像の背景画素領域についての第二階調を定義するように予め記憶されるマトリクスデータにおいて一部の画素の階調が、それら階調間に設定の中間階調へと置換される。ここで、かかる階調置換は、予め記憶のマトリクスデータにおいて背景画素領域を構成する各画素のうち、当該マトリクスデータから抽出の情報画素領域の輪郭線に対して特定方向に隣接する画素の全てを対象としている。故に、階調置換後のマトリクスデータに基づき表示器によって表示される情報画像では、情報画素領域の輪郭線に隣接する中間階調の画素によって、当該輪郭線におけるジャギーが緩和され得る。しかも、そうしたジャギーの緩和は、マトリクスデータにおける一部の画素の階調を中間階調に置換するという簡素な処理によって達成し得ることから、情報画像に関して車両の乗員による高い視認性と表示処理速度の向上とを両立させることが可能となる。
【０００９】
請求項２に記載の発明によると、設定手段は、第一階調及び第二階調に対する所定の論理演算の結果がそれぞれ第一階調及び中間階調となる中間階調を設定し、置換手段は、記憶手段に記憶のマトリクスデータを抽出手段が特定方向へ往走査することにより抽出した情報画素領域を構成する各画素に対して特定方向の当該往走査側に隣接する画素全てについての階調と、記憶手段に記憶のマトリクスデータを抽出手段が特定方向の往走査とは反対側へ復走査することにより抽出した情報画素領域を構成する各画素に対して特定方向の当該復走査側に隣接する画素全てについての階調とを、設定手段により設定された中間階調との論理演算の結果に置換する。
【００１０】
請求項２に記載の発明では、予め記憶のマトリクスデータにおいて特定方向の往走査により抽出の情報画素領域を構成する各画素に対して特定方向の当該往走査側に隣接する画素全てについての階調が、中間階調との論理演算結果に置換される。ここで、情報画素領域を構成の各画素に対して往走査側に隣接する画素のうち、情報画素領域を構成する画素の階調は、中間階調との論理演算により第一階調のまま保持される。また一方、情報画素領域を構成の各画素に対して往走査側に隣接する画素のうち、背景画素領域を構成する画素の階調、即ち背景画素領域において情報画素領域の輪郭線の当該往走査側に隣接する画素の階調は、中間階調との論理演算により中間階調となる。これらによれば、表示器により表示の情報画像において情報画素領域の輪郭線の往走査側に隣接して当該輪郭線のジャギーを緩和する中間階調の画素を、論理演算という簡素な処理に拘らずに正確に得ることができる。
【００１１】
同様に請求項２に記載の発明では、予め記憶のマトリクスデータにおいて特定方向の往走査とは反対側への復走査により抽出の情報画素領域を構成する各画素に対して特定方向の当該復走査側に隣接する画素全てについての階調が、中間階調との論理演算結果に置換される。ここで、情報画素領域を構成の各画素に対して復走査側に隣接する画素のうち、情報画素領域を構成する画素の階調は、中間階調との論理演算により第一階調のまま保持される。また一方、情報画素領域を構成の各画素に対して復走査側に隣接する画素のうち、背景画素領域を構成する画素の階調、即ち背景画素領域において情報画素領域の輪郭線の当該復走査側に隣接する画素の階調は、中間階調との論理演算により中間階調となる。これらによれば、表示器により表示の情報画像において情報画素領域の輪郭線の復走査側に隣接して当該輪郭線のジャギーを緩和する中間階調の画素も、論理演算という簡素な処理に拘らずに正確に得ることができる。
【００１２】
請求項３に記載の発明によると、設定手段は、中間階調を第一階調及び第二階調の間に複数設定し、置換手段は、情報画素領域を構成する各画素に対して往走査側に隣接する画素全てについての階調を対象とした論理演算に供する中間階調と、情報画素領域を構成する各画素に対して復走査側に隣接する画素全てについての階調を対象とした論理演算に供する中間階調とを、設定手段により設定された複数の中間階調の中から選択する。これによれば、情報画素領域の輪郭線の往走査側に隣接する画素についての中間階調と、当該輪郭線の復走査側に隣接する画素についての中間階調とを、第一階調及び第二階調の間に設定された複数の中間階調の中から自由に選択し得る。したがって、情報画素領域のスペシフィックに応じた中間階調の選択により、当該領域の輪郭線のジャギーを表示器により表示の情報画像において確実に緩和可能となるのである。
【００１３】
請求項４に記載の発明によると、置換手段は、情報画素領域を構成する各画素に対して往走査側に隣接する画素全てについての階調を対象とした論理演算に供する中間階調と、情報画素領域を構成する各画素に対して復走査側に隣接する画素全てについての階調を対象とした論理演算に供する中間階調とを、相異ならせる。これによれば、情報画素領域の輪郭線の往走査側に隣接する画素についての中間階調と、当該輪郭線の復走査側に隣接する画素についての中間階調とを、相異ならせることができる。したがって、車両の乗員は、表示器により表示の情報画像において輪郭線のジャギーが緩和された立体感のある情報画素領域を、視認可能となる。
【００１４】
請求項５に記載の発明によると、記憶手段には、第一階調及び第二階調を定義する２値表現のマトリクスデータが予め記憶される。これによれば、情報画素領域についての第一階調及び背景画素領域についての第二階調を定義する２値表現のマトリクスデータに、その一部の画素の階調置換という簡素な処理を施して、迅速に情報画像を表示することができる。したがって、情報画像の表示処理速度の向上に大きく貢献し得るのである。
【００１５】
請求項６に記載の発明によると、指令手段は、置換手段による階調置換後のマトリクスデータに基づき、情報画像を車両のフロントウインドシールドへ投射して虚像表示する表示器に対して、制御指令信号を出力する。ここで、情報画像を車両のフロントウインドシールドへ投射して虚像表示する構成では、情報画素領域の輪郭線におけるジャギーの目立ちが特に懸念される。しかし、背景画素領域において情報画素領域の輪郭線に特定方向にて隣接する画素全ての第二階調を中間階調に置換したマトリクスデータに基づく虚像表示によれば、当該輪郭線のジャギー緩和による高い視認性を表示の情報画像に関して与え得るのである。
【図面の簡単な説明】
【００１６】
【図１】本発明の一実施形態による表示制御装置が組み込まれてなる車両用情報表示システムを示す構成図である。
【図２】図１の表示器により情報画像として表示されるメータ画像を示す模式図である。
【図３】図２のメータ画像について説明するための模式図である。
【図４】図１の表示制御装置のメモリ部に予め記憶されるマトリクスデータ及び図６の表示制御フローについて説明するための模式図である。
【図５】図１の表示制御装置のメモリ部に予め記憶されるマトリクスデータ及び図６の表示制御フローについて説明するための模式図である。
【図６】図１の表示制御装置による表示制御フローを示すフローチャートである。
【図７】図６の表示制御フローについて説明するための模式図である。
【発明を実施するための形態】
【００１７】
以下、本発明の一実施形態を図面に基づき説明する。図１は、本発明の一実施形態による表示制御装置１０が組み込まれてなる車両用表示システム１を示している。この車両用表示システム１は、表示制御装置１０に加えて、所定の車両情報を情報画像として表示するための表示器５０を備えている。
【００１８】
まず、表示器５０について説明する。車両のインストルメントパネル２内に設けられる表示器５０は、画像モニタ５１及び光学系５２等から構成された所謂ヘッドアップディスプレイである。
【００１９】
画像モニタ５１は、その画面５１０が光学系５２側を向くようにして配置されている。画像モニタ５１は、２次元方向に配された複数のモノクロ液晶画素によって画面５１０が形成されてなるドットマトリクス型の液晶モニタであり、それら液晶画素の駆動によって情報画像を画面５１０上に表示する。光学系５２は、例えばミラー及びレンズ等を組み合わせてなり、画像モニタ５１の画面５１０上に表示された情報画像を光学像として車両のフロントウインドシールド４へと投射する。かかる投射により画面５１０上の情報画像は、フロントウインドシールド４の前方にて結像されることで、車両において乗員５が着座する運転席３側へと虚像表示される。ここで、表示器５０により虚像表示される情報画像として本実施形態では、図２に示す如きメータ画像５４が用意されている。メータ画像５４は、画像モニタ５１の画面５１０を形成する液晶画素に対応して２次元方向Ｘ，Ｙに並ぶ複数画素のうち情報画素領域５４０と背景画素領域５４１とにより、車両情報とその背景とを表している。
【００２０】
具体的に情報画素領域５４０は、車両情報としての車速値を整数近似した離散数値５４０ａを表す画素の集合である。この情報画素領域５４０の全部分には、白色表示のための第一階調が設定されている。背景画素領域５４１は、情報画素領域５４０をその輪郭線５４２（図３の太実線を参照）に沿って囲むことにより離散数値５４０ａの背景を表す画素の集合である。この背景画素領域５４１の大半部分には、黒色表示のための第二階調が設定されている。但し、図３に示すように、背景画素領域５４１のうち情報画素領域５４０の輪郭線５４２に対して水平方向Ｘの向かって右側に隣接する部分５４１ａ（以下、「隣接部分５４１ａ」ともいう）の全てには、第一階調及び第二階調の間となる階調として、白色及び黒色間の中間色たる灰色表示のための中間階調が設定されている。また、背景画素領域５４１のうち情報画素領域５４０の輪郭線５４２に対して水平方向Ｘの向かって左側に隣接する部分５４１ｂ（以下、「隣接部分５４１ｂ」ともいう）の全てには、第一階調及び第二階調の間となる階調として、反対側の隣接部分５４１ａよりも暗い灰色表示のための中間階調が設定されている。
【００２１】
図１に示すように表示制御装置１０は、メモリ部１００を有するマイクロコンピュータを主体に構成されて画像モニタ５１と接続されている。メモリ部１００には、画像モニタ５１の画面５１０上に情報画像として表示させるメータ画像５４のマトリクスデータが予め記憶されている。ここで、メモリ部１００に記憶のマトリクスデータは、情報画素領域５４０についての第一階調及び背景画素領域５４１についての第二階調を、それら領域５４０，５４１の各構成画素のアドレス（ｘ，ｙ）毎に１ビットの数値によって定義した２値表現のデータであり、例えば図４に示す如き２値画像を表示させるものである。そして特に本実施形態のマトリクスデータでは、図５に示すように、情報画素領域５４０についての第一階調が数値「１」により、また背景画素領域５４１についての第二階調が数値「０」により定義されている。
【００２２】
図１に示すように表示制御装置１０は、車両情報としての車速値を検出するセンサ部６とも接続されている。表示制御装置１０は、メモリ部１００に予め記憶されているコンピュータプログラムを実行することにより、表示制御フローを実施する。かかる表示制御フローの実施により表示制御装置１０から画像モニタ５１へ制御指令信号が出力されることで、情報画素領域５４０の離散数値５４０ａによりセンサ部６の検出車速値（以下、単に「検出車速値」という）を整数近似して表すメータ画像５４が虚像表示されるのである。
【００２３】
以下、表示制御装置１０が実施する表示制御フローについて、図６に従って詳細に説明する。尚、この表示制御フローは、車両のイグニッションスイッチのオン操作に応じて開始され、当該イグニッションスイッチのオフ操作に応じて終了する。
【００２４】
表示制御フローのステップＳ１では、メモリ部１００に記憶のマトリクスデータによりメータ画像５４の情報画素領域５４０及び背景画素領域５４１についてそれぞれ定義されている第一階調及び第二階調に基づき、それら階調間の中間階調を複数設定する。具体的には、まず、１ビットの数値「１」及び「０」によって定義されるマトリクスデータの第一階調及び第二階調を、図５の如き３ビットの数値「１１１」及び「０００」によってそれぞれ再定義する。即ち、マトリクスデータによって定義する階調数を、２から２３（＝８）へと展開する。次に、図５に示す如き３ビットの数値「１１０」「１０１」、「１００」、「０１１」、「０１０」及び「００１」によって定義される六段階の中間階調を設定し、メモリ部１００に記憶する。
【００２５】
こうしたステップＳ１に続くステップＳ２では、メモリ部１００に記憶のマトリクスデータのうち検出車速値に対応するものにおいてメータ画像５４の各構成画素を特定方向としての水平方向Ｘへと往走査することにより、情報画素領域５４０を抽出する。具体的には、メータ画像５４の各構成画素のうち走査対象に設定する画素を水平走査線に沿った水平方向Ｘの往走査側（図４の右側）へと変移させる処理につき、垂直方向Ｙに並ぶ全ての水平走査線において遂行する。そして、走査対象となる画素の設定毎に、当該走査対象画素の階調が第一階調（数値「１１１」）であるか否かを判定し、肯定判定の場合には、当該走査対象画素を情報画素領域５４０の一構成画素として抽出する。
【００２６】
さらにステップＳ３では、ステップＳ２により情報画素領域５４０を抽出したマトリクスデータにおいて情報画素領域５４０の輪郭線５４２に水平方向Ｘの往走査側（図４，７の右側）に隣接する部分５４１ａの構成画素全ての階調を、所定の中間階調に置換する。具体的には、まず、ステップＳ１により設定された複数の中間階調の中から、情報画素領域５４０のサイズ等のスペシフィックに応じて最適となる往走査側中間階調として、本実施形態では二番目に明るい中間階調（図５の数値「１０１」）を選択する。次に、ステップＳ２により抽出された情報画素領域５４０の各構成画素に対して往走査側に隣接する画素全てを置換対象に設定し、当該置換対象画素についての階調を往走査側中間階調との論理和演算に供する。そしてこの後、置換対象画素についての階調を論理和演算の結果によって置換するのである。
【００２７】
ここで、情報画素領域５４０を構成する置換対象画素についての第一階調（数値「１１１」）は、往走査側中間階調（数値「１０１」）との論理和演算により、図７の如く当該第一階調のまま保持される。また一方、情報画素領域５４０の輪郭線５４２に対する往走査側の隣接部分５４１ａを背景画素領域５４１にて構成する置換対象画素についての第二階調（数値「０００」）は、往走査側中間階調（数値「１０１」）との論理和演算により、図７の如く当該往走査側中間階調へと置換されることになる。
【００２８】
この後のステップＳ４では、ステップＳ３による階調置換後のマトリクスデータにおいてメータ画像５４の各構成画素を水平方向Ｘの往走査とは反対側へと復走査することにより、情報画素領域５４０を抽出する。具体的には、メータ画像５４の各構成画素のうち走査対象に設定する画素を水平走査線に沿った水平方向Ｘの復走査側（図７の左側）へと変移させる処理につき、垂直方向Ｙに並ぶ全ての水平走査線において遂行する。そして、走査対象となる画素の設定毎に、当該走査対象画素の階調が第一階調（ここでは数値「１１１」）であるか否かを判定し、肯定判定の場合には、当該走査対象画素を情報画素領域５４０の一構成画素として抽出する。
【００２９】
さらにステップＳ５では、ステップＳ４により情報画素領域５４０を抽出したマトリクスデータにおいて情報画素領域５４０の輪郭線５４２に水平方向Ｘの復走査側（図７，３の左側）に隣接する部分５４１ｂの構成画素全ての階調を、所定の中間階調に置換する。具体的には、まず、ステップＳ１により設定された複数の中間階調の中から、情報画素領域５４０のサイズ等のスペシフィックに応じて最適となる復走査側中間階調として、本実施形態では二番目に暗い中間階調（図５の数値「０１０」）を選択する。次に、ステップＳ４により抽出された情報画素領域５４０の各構成画素に対して復走査側に隣接する画素全てを置換対象に設定し、当該置換対象画素についての階調を復走査側中間階調との論理和演算に供する。そしてこの後、置換対象画素についての階調を論理和演算の結果によって置換するのである。
【００３０】
ここで、情報画素領域５４０を構成する置換対象画素についての第一階調（数値「１１１」）は、復走査側中間階調（数値「０１０」）との論理和演算により、図３の如く当該第一階調のまま保持される。また一方、情報画素領域５４０の輪郭線５４２に対する復走査側の隣接部分５４１ｂを背景画素領域５４１にて構成する置換対象画素についての第二階調（数値「０００」）は、復走査側中間階調（数値「０１０」）との論理和演算により、図７の如く往走査側中間階調よりも暗い当該復走査側中間階調へと置換されることになる。
【００３１】
このようにして、情報画素領域５４０の輪郭線５４２に対する背景画素領域５４１の隣接部分５４１ａ，５４１ｂを第一階調及び第二階調間の相異なる中間階調へと置換してなるマトリクスデータの生成後には、ステップＳ６へと移行する。ステップＳ６では、ステップＳ５による階調置換後のマトリクスデータに基づき画像表示を指令する制御指令信号を画像モニタ５１へ出力し、図３の如きメータ画像５４を表示器５０により表示させる。
【００３２】
以上により表示制御フローの一回のルーチンが終了し、ステップＳ１へと戻ることで当該フローの次の回のルーチンが実施されることになる。尚、表示制御フローのステップＳ３，Ｓ５による階調置換については、ステップＳ２，Ｓ４において走査対象画素を設定し且つ当該走査対象画素を情報画素領域５４０の一構成画素として抽出する毎に、遂行するようにしてもよい。
【００３３】
ここまで説明の表示制御フローによれば、メータ画像５４において情報画素領域５４０の輪郭線５４２に対する背景画素領域５４１の隣接部分５４１ａ，５４１ｂは、各領域５４０，５４１に定義の第一階調及び第二階調間となる中間階調にて虚像表示される。ここで隣接部分５４１ａ，５４１ｂの中間階調としては、情報画素領域５４０のスペシフィックに応じて相異なる階調が選択されるので、虚像表示の場合には特に目立ちの懸念されるジャギーが確実に緩和され得た情報画素領域５４０を、立体感をもって乗員５に視認させることができる。しかも、そうした視認作用は、各領域５４０，５４１の階調を２値表現によって定義するように予めメモリ部１００に記憶の簡素なマトリクスデータに対して、階調同士の論理和演算を利用する簡素な階調置換処理を施すことによって達成し得る。これらのことから、情報画像としてのメータ画像５４に関して乗員５による高い視認性と表示処理速度の向上とを両立させることが、可能となるのである。
【００３４】
尚、以上の実施形態では、メモリ部１００が特許請求の範囲に記載の「記憶手段」に相当し、表示制御フローのステップＳ１を実行する表示制御装置１０が特許請求の範囲に記載の「設定手段」に相当し、表示制御フローのステップＳ２，Ｓ４を実行する表示制御装置１０が特許請求の範囲に記載の「抽出手段」に相当し、表示制御フローのステップＳ３，Ｓ５を実行する表示制御装置１０が特許請求の範囲に記載の「置換手段」に相当し、表示制御フローのステップＳ６を実行する表示制御装置１０が特許請求の範囲に記載の「指令手段」に相当している。
【００３５】
（他の実施形態）
さて、本発明の一実施形態について説明してきたが、本発明は説明の実施形態に限定して解釈されるものではなく、その要旨を逸脱しない範囲内において種々の実施形態に適用することができる。
【００３６】
具体的には、表示器５０により表示する情報画像（メータ画像５４）としては、所定の車両情報として車速値を表す情報画素領域５４０を含んだもの以外にも、エンジン回転数や燃料残量、冷却水温度等を表す情報画素領域５４０を含むようなものであってもよい。また、表示器５０としては、画像モニタ５１の画面５１０上の情報画像（メータ画像５４）をそのまま運転席３側へ表示するものであってもよい。
【００３７】
さらに、表示制御装置１０のメモリ部１００に予め記憶されるマトリクスデータについては、情報画素領域５４０及び背景画素領域５４１の一方を黒色表示のための階調に、また他方を白色表示又は白黒以外の有彩色表示のための階調に定義する２値表現のデータであることが好ましい。これは、メモリ部１００を構成する例えば不揮発性メモリ等の記憶容量を小さくして、コストの低減に貢献することができるからである。尚、有彩色表示のための階調をマトリクスデータによって定義する場合には、例えば表示器５０における画像モニタ５１の画面５１０にカラーフィルターを設けること等によって、当該有彩色表示が実現され得る。
【００３８】
またさらに、表示制御装置１０による表示制御フローのステップＳ１では中間階調を１つだけ設定し、背景画素領域５４１のうち情報画素領域５４０の輪郭線５４２に対する隣接部分５４１ａ，５４１ｂの第二階調を、ステップＳ３，Ｓ５において互いに同じ中間階調へと置換してもよい。あるいは、表示制御フローのステップＳ１では、ステップＳ３，Ｓ５において選択する往走査側中間階調及び復走査側中間階調を含む限りにおいて、６段階以外の複数段階、例えば２段階を含む２ｎ段階（ｎは正の整数）等に中間階調を設定してもよい。ここで、ステップＳ１において中間階調が２段階を超える複数段階に設定される場合には、ステップＳ３，Ｓ５において選択する往走査側中間階調及び復走査側中間階調を、情報画素領域５４０の種類等のスペシフィックに応じて自由に設定してもよい。例えば上述の実施形態（図５参照）では、往走査側中間階調を数値「１０１」以外で、好ましくは中間階調のうち最も暗い数値「００１」を除くものにより定義し、また往走査側中間階調を数値「１０１」以外で、好ましくは中間階調のうち最も明るい数値「１１０」を除くものにより定義してもよい。
【００３９】
加えて、表示制御装置１０による表示制御フローにおいてステップＳ２の往走査及びステップＳ４の復走査を遂行する特定方向については、情報画像（メータ画像５４の）の２次元方向Ｘ，Ｙのうち垂直方向Ｙであってもよい。この場合、背景画素領域５４１において情報画素領域５４０の輪郭線５４２に垂直方向Ｙ両側に隣接する部分の第二階調につき、ステップＳ３，Ｓ５による中間階調への置換が遂行されることになる。
【００４０】
また加えて、表示制御装置１０による表示制御フローでは、少なくともステップＳ１により第一階調及び第二階調を再定義する際の数値を互いに入れ換えて、ステップＳ３，Ｓ５による階調置換を置換対象画素に対する論理積演算によって遂行してもよい。この場合、情報画素領域５４０を構成する置換対象画素についての第一階調（数値「０００」）は、所定の中間階調（数値「１０１」又は数値「０１０」）との論理積演算により、当該第一階調のまま保持される。またこの場合、情報画素領域５４０の輪郭線５４２に対する隣接部分５４１ａ，５４１ｂを背景画素領域５４１にて構成する置換対象画素についての第二階調（数値「１１１」）は、所定の中間階調（数値「１０１」又は数値「０１０」）との論理積演算により、当該中間階調へと置換されることになる。
【符号の説明】
【００４１】
１  車両用表示システム、２  インストルメントパネル、３  運転席、４  フロントウインドシールド、５  乗員、６  センサ部、１０  表示制御装置（設定手段・抽出手段・置換手段・指令手段）、１００  メモリ部（記憶手段）、５０  表示器、５１  画像モニタ、５２  光学系、５１０  画面、５４  メータ画像、５４０  情報画素領域、５４０ａ  離散数値、５４１  背景画素領域、５４１ａ，５４１ｂ  隣接部分、５４２  輪郭線
【図１】
2010217422.tif 000003
【図２】
2010217422.tif 000004
【図３】
2010217422.tif 000005
【図４】
2010217422.tif 000006
【図５】
2010217422.tif 000007
【図６】
2010217422.tif 000008
【図７】
2010217422.tif 000009